(57)【要約】【課題】屋根の上に積もった雪からの荷重に好適に耐えることができる屋根構造を提供する。【解決手段】屋根１３は、建物本体１２の上に設置された複数の屋根ユニット２１を有している。屋根ユニット２１は、トラス構造を有する屋根フレーム２２と、その屋根フレーム２２を上方から覆う屋根面材２３，２４とを有している。第１屋根面材２３と第２屋根面材２４とは、建物奥行き方向において回収溝１８を挟んで横並びに配置されており、いずれも回収溝１８側の端部を下端として傾斜した水勾配を有している。建物奥行き方向において、第１屋根面材２３により覆われている部分の屋根フレーム２２の長さ寸法は、第２屋根面材２４により覆われている部分の屋根フレーム２２の長さ寸法よりも大きくなっている。この場合、建物奥行き方向において、第１屋根面材２３の下端は、屋根ユニット２１の中央部分よりも第２屋根面材２４側にずれている。【選択図】      図１
2015010446.tif 000002
【特許請求の範囲】
【請求項１】
建物本体の上に設けられた屋根ユニットが、トラス構造を有する屋根フレームと、該屋根フレームを上方から覆う屋根面材とを有している建物の屋根構造であって、
前記屋根ユニットにおいては、前記屋根面材として、前記屋根フレームの所定の傾斜方向において前記屋根ユニットの一端から下方に向けて延びて勾配を有している第１屋根面材と、他端から水平又は下方に向けて延びている第２屋根面材とが、前記傾斜方向に沿って横並びに設けられており、
前記第１屋根面材及び前記第２屋根面材の並び方向において、前記第１屋根面材により覆われている部分の前記屋根フレームの長さ寸法が、前記第２屋根面材により覆われている部分の前記屋根フレームの長さ寸法よりも大きいことを特徴とする建物の屋根構造。
【請求項２】
前記第２屋根面材は、前記屋根ユニットにおける前記第１屋根面材とは反対側の端部から下方に向けて延びて勾配を有しており、
前記第１屋根面材と前記第２屋根面材との境界部には、前記第１屋根面材及び前記第２屋根面材の各勾配に沿って流れ落ちた水を回収する回収部が設けられていることを特徴とする請求項１に記載の建物の屋根構造。
【請求項３】
前記第１屋根面材と前記第２屋根面材との各上端は同じ高さ位置に配置されていることを特徴とする請求項２に記載の建物の屋根構造。
【請求項４】
前記屋根フレームは、前記建物本体の上に立設された平面トラスとして、前記傾斜方向に延びている傾斜トラスを有しており、
前記傾斜トラスの上弦材は、前記第１屋根面材と前記第２屋根面材との境界部を跨いで前記第１屋根面材の勾配に沿って延びており、
前記第２屋根面材の下側には、前記傾斜トラスの上弦材の中間部分から前記第２屋根面材の勾配に沿って斜め上方に向けて延びている傾斜部材が設けられていることを特徴とする請求項２又は３に記載の建物の屋根構造。
【請求項５】
前記屋根フレームは、前記建物本体の上に立設された平面トラスとして、前記傾斜方向に直交する直交方向に延びている直交トラスを有しており、
前記傾斜トラスは、前記直交方向に沿って複数並べて設けられ、隣り合う前記傾斜トラスは前記直交トラスにより連結されており、
前記傾斜部材の下端部は前記直交トラスに固定されていることを特徴とする請求項４に記載の建物の屋根構造。
【請求項６】
前記傾斜トラスは、当該傾斜トラスの上弦材と下弦材とを連結する束材を有しており、
前記束材の上方において前記傾斜部材の上端部を支持する柱部材が、前記束材と上下に並べて設けられていることを特徴とする請求項５に記載の建物の屋根構造。
【請求項７】
前記第２屋根面材を挟んで前記第１屋根面材とは反対側には、前記第２屋根面材よりも上方に向けて突出した雪止め部が設けられており、
前記第２屋根面材は、前記第１屋根面材の下端部よりも低い位置に設けられ、前記傾斜方向において水平方向に延びていることを特徴とする請求項１に記載の建物の屋根構造。
【請求項８】
前記屋根フレームは、立設された平面トラスとして、前記傾斜方向に延びている傾斜トラスを有しており、
前記傾斜トラスは、上弦材として、前記第１屋根面材の下方に設けられた第１上弦材と、前記第２屋根面材の下方に設けられた第２上弦材と、前記第１上弦材及び前記第２上弦材の両方が接続された中間束材とを有しており、
前記第１上弦材は、前記中間束材から前記第１屋根面材に沿って延びており、前記第２上弦材は、前記中間束材から前記第２屋根面材に沿って延びており、
前記束材に対する前記第２上弦材の接続部分は、該束材に対する前記第１上弦材の接続部分よりも下方に配置されていることを特徴とする請求項７に記載の建物の屋根構造。
【請求項９】
前記屋根ユニットは、当該屋根ユニットの前記傾斜方向に直交する直交方向に沿って横並びに複数設けられており、
前記建物の屋根は、前記複数の屋根ユニットの各第１屋根面材が連続していることで形成された第１屋根面と、前記複数の屋根ユニットの各第２屋根面材が連続していることで形成された第２屋根面とを有していることを特徴とする請求項１乃至８のいずれか１項に記載の建物の屋根構造。
【発明の詳細な説明】
【技術分野】
【０００１】
本発明は、建物の屋根構造に関するものである。
【背景技術】
【０００２】
コンビニエンスストアなどの中規模店舗を構成する建物においては、建物構造の工業化が図られており、建物本体の上に設置された複数の屋根ユニットにより屋根が構築されていることがある。例えば、建物の幅方向に沿って複数並べられた略長方形状の屋根ユニットを有し、それら屋根ユニットにより屋根が構築されている建物がある（例えば特許文献１）。この建物の屋根は、建物正面側を上端、建物奥側を下端とした片流れ屋根とされており、例えば屋根の上に雪が積もった場合には、その雪が建物奥側に落ちやすくなっている。
【先行技術文献】
【特許文献】
【０００３】
【特許文献１】特開２００５−２８２０３８号公報
【発明の概要】
【発明が解決しようとする課題】
【０００４】
しかしながら、片流れ屋根など、傾斜している屋根面の下端が建物外周側に配置されている屋根においては、その屋根の上に積もった雪が自重で屋根から落ちやすく、屋根の上から大量の雪が塊となって落ちることは、安全上の観点などからして好ましくない場合がある。そこで、屋根に雪止めを設けるなどして、大量の雪が塊になって屋根から落下することを防止する技術が考えられるが、この技術では、屋根の上に大量の雪が積もった状態が維持されることで、雪による大荷重が建物に加えられることになる。
【０００５】
ここで、屋根ユニットにより屋根が構成されている建物においては、建築現場において建物本体の上に屋根ユニットが載せられることからしても、屋根ユニットの全体が建物本体に連結されているのではなく、屋根ユニットが部分的に建物本体に連結されている構成になっているといえる。例えば、屋内空間を大空間としている建物など、屋根ユニットにおいて長手方向の両端部が建物本体の柱等により支持され、中間部分が柱等によっては支持されていない建物では、雪からの荷重が最も大きくなりやすい屋根ユニットの中央部分が、建物本体による支持点から最も遠い位置になってしまう。この場合、屋根の上の積雪により屋根ユニットの中央部分が下方に撓みやすくなることが懸念される。
【０００６】
本発明は、上記事情に鑑みてなされたものであり、屋根の上に積もった雪からの荷重に好適に耐えることができる屋根構造を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の屋根構造は、建物本体の上に設けられた屋根ユニットが、トラス構造を有する屋根フレームと、該屋根フレームを上方から覆う屋根面材とを有している建物の屋根構造であって、前記屋根ユニットにおいては、前記屋根面材として、前記屋根フレームの所定の傾斜方向において前記屋根ユニットの一端から下方に向けて延びて勾配を有している第１屋根面材と、他端から水平又は下方に向けて延びている第２屋根面材とが、前記傾斜方向に沿って横並びに設けられており、前記第１屋根面材及び前記第２屋根面材の並び方向において、前記第１屋根面材により覆われている部分の前記屋根フレームの長さ寸法が、前記第２屋根面材により覆われている部分の前記屋根フレームの長さ寸法よりも大きいことを特徴とする。
【０００９】
第１の発明によれば、第１屋根面材が第２屋根面材に向けて下方に傾斜しているため、第１屋根面材の上に雪が積もった場合に、その雪が第１屋根面材の上端側からは建物の外周側に落ちにくくなっている。また、その雪が第１屋根面材の勾配に沿って移動したとしても、その雪が建物の外周側に落ちることが第２屋根面材により規制されている。したがって、第１屋根面材及び第２屋根面材により無落雪屋根を好適に実現できる。
【００１０】
しかも、屋根ユニットの傾斜方向において、第１屋根面材の下端が屋根フレームの中央部分よりも第２屋根面材側にずれているため、その中央部分の構造強度が高くなるようなトラス構造を構築することができる。したがって、屋根ユニットの傾斜方向において屋根フレームの中央部分が建物本体による支持点から遠い位置になっている建物でも、屋根の上に雪が積もっている場合に、その雪の荷重により屋根フレームの中央部分が下方に撓むということを抑制できる。
【００１１】
以上により、トラス構造を有する屋根において、その屋根の上に積もった雪からの荷重に好適に耐えることができる。
【００１２】
第２の発明では、第１の発明において、前記第２屋根面材は、前記屋根ユニットにおける前記第１屋根面材とは反対側の端部から下方に向けて延びて勾配を有しており、前記第１屋根面材と前記第２屋根面材との境界部には、前記第１屋根面材及び前記第２屋根面材の各勾配に沿って流れ落ちた水を回収する回収部が設けられている。
【００１３】
第２の発明によれば、第１屋根面材の下端と第２屋根面材の下端との間に回収部が設けられているため、屋根の上に雪が積もっている場合に、その雪や融けた水が回収部に回収される。このため、第１屋根面材及び第２屋根面材の各上端を越えて建物の外周側に雪が落ちるということを抑制できる。しかも、第１屋根面材及び第２屋根面材の各傾斜下部という雪が集まりやすい場所が、屋根フレームの中央部分から第２屋根面材側にずれた位置に設定されているため、屋根において建物本体による支持点から遠い位置に最も雪が集まってしまうということを抑制できる。
【００１４】
第３の発明では、第２の発明において、前記第１屋根面材と前記第２屋根面材との各上端は同じ高さ位置に配置されている。
【００１５】
第３の発明によれば、第１屋根面材と第２屋根面材とで上端の高さ位置が異なる構成とは異なり、第１屋根面材及び第２屋根面材のうち一方について建物の外周側に雪が溢れやすいということを回避できる。また、この場合、第２屋根面材の傾斜角度が第１屋根面材の傾斜角度よりも大きいため、これら屋根面材の並び方向において第２屋根面材の長さ寸法が第１屋根面材の長さ寸法より小さい構成でも、屋根の上に積もった雪が第２屋根面材の上端を越えて建物の外周側に溢れることを好適に抑制できる。
【００１６】
第４の発明では、第２又は３の発明において、前記屋根フレームは、前記建物本体の上に立設された平面トラスとして、前記傾斜方向に延びている傾斜トラスを有しており、前記傾斜トラスの上弦材は、前記第１屋根面材と前記第２屋根面材との境界部を跨いで前記第１屋根面材の勾配に沿って延びており、前記第２屋根面材の下側には、前記傾斜トラスの上弦材の中間部分から前記第２屋根面材の勾配に沿って斜め上方に向けて延びている傾斜部材が設けられている。
【００１７】
第４の発明によれば、屋根フレームにおいて、単に傾斜トラスに傾斜部材を取り付けることで、第２屋根面材を下方から支持する構成を実現できる。このため、例えば、第１屋根面材及び第２屋根面材のそれぞれの傾斜に合わせて上弦材を設計する必要がない。つまり、専用の傾斜トラスを製造する必要がない。しかも、傾斜トラスの構造や予想積雪量などに応じて、傾斜部材の設置位置や傾斜角度を設定することで、第１屋根面材を適正な傾斜角度で設置することができる。
【００１８】
第５の発明では、第４の発明において、前記屋根フレームは、前記建物本体の上に立設された平面トラスとして、前記傾斜方向に直交する直交方向に延びている直交トラスを有しており、前記傾斜トラスは、前記直交方向に沿って複数並べて設けられ、隣り合う前記傾斜トラスは前記直交トラスにより連結されており、前記傾斜部材の下端部は前記直交トラスに固定されている。
【００１９】
第５の発明によれば、屋根フレームにおいては、傾斜トラス及び直交トラスにより立体トラスが構成されているため、積雪による荷重に耐え得る構造強度を屋根フレームに付与することができる。
【００２０】
ここで、第１屋根面材及び第２屋根面材が回収部に向けて下方に傾斜している構成では、これら屋根面材の下端部が回収部を挟んで配置されている部分に雪が積もり、積雪により傾斜部材の下端部に加えられる荷重が大きくなると考えられる。これに対して、傾斜部材が直交トラスに固定されているため、立体トラスが有する構造強度を傾斜部材に付与することができる。したがって、屋根に積もった雪からの荷重が傾斜部材に加わりやすい構成において、傾斜部材が雪からの荷重に好適に耐えることができる。
【００２１】
第６の発明では、第５の発明において、前記傾斜トラスは、当該傾斜トラスの上弦材と下弦材とを連結する束材を有しており、前記束材の上方において前記傾斜部材の上端部を支持する柱部材が、前記束材と上下に並べて設けられている。
【００２２】
第６の発明によれば、屋根フレームにおいて、単に傾斜トラスに柱部材を取り付けることで、傾斜部材を支持する構成を実現できる。このため、例えば、傾斜部材の上端を支持するために束材を上弦材よりも上方に延ばす必要がない。つまり、専用の傾斜トラスを製造する必要がない。しかも、傾斜部材の傾斜角度に合わせて柱部材の長さ寸法を設定することで、第１屋根面材の勾配を適正に設定することができる。
【００２３】
第７の発明では、第１の発明において、前記第２屋根面材を挟んで前記第１屋根面材とは反対側には、前記第２屋根面材よりも上方に向けて突出した雪止め部が設けられており、前記第２屋根面材は、前記第１屋根面材の下端部よりも低い位置に設けられ、前記傾斜方向において水平方向に延びている。
【００２４】
第７の発明によれば、第１屋根面材と雪止め部との間において第２屋根面材の上方部分が、雪や融けた水を排出するスノーダクトとしての役割を果たすことができる。しかも、第１屋根面材と雪止め部との間という雪が集まりやすい場所が、屋根フレームの中央部分から第２屋根面材側にずれた位置に設定されているため、屋根において建物本体による支持点から遠い位置に最も雪が集まってしまうということを抑制できる。
【００２５】
第８の発明では、第７の発明において、前記屋根フレームは、立設された平面トラスとして、前記傾斜方向に延びている傾斜トラスを有しており、前記傾斜トラスは、上弦材として、前記第１屋根面材の下方に設けられた第１上弦材と、前記第２屋根面材の下方に設けられた第２上弦材と、前記第１上弦材及び前記第２上弦材の両方が接続された中間束材とを有しており、前記第１上弦材は、前記中間束材から前記第１屋根面材に沿って延びており、前記第２上弦材は、前記中間束材から前記第２屋根面材に沿って延びており、前記束材に対する前記第２上弦材の接続部分は、該束材に対する前記第１上弦材の接続部分よりも下方に配置されている。
【００２６】
第８の発明によれば、第２上弦材が第１上弦材の下端部よりも低い位置に配置されていることで、第２屋根面材を第１屋根面材の下端部よりも低い位置に好適に設置できる。しかも、第１上弦材の下端部を支える中間束材に第２上弦材が連結されているため、スノーダクトの底部としての役割を果たす第２屋根面材の上に雪が集まりやすい構成であっても、その第２屋根面材を第２上弦材により好適に支持することができる。
【００２７】
第９の発明では、第１乃至第８のいずれかの発明において、前記屋根ユニットは、当該屋根ユニットの前記傾斜方向に直交する直交方向に沿って横並びに複数設けられており、前記建物の屋根は、前記複数の屋根ユニットの各第１屋根面材が連続していることで形成された第１屋根面と、前記複数の屋根ユニットの各第２屋根面材が連続していることで形成された第２屋根面とを有している。
【００２８】
第９の発明によれば、各屋根ユニットが横並びに配置されていることで平面状の第１屋根面及び第２屋根面が形成されているため、全ての屋根ユニットの上に積もる雪の量を均一化できる。ここで、例えば、隣り合う屋根ユニットの屋根面材同士の境界部に段差が形成されている構成では、積もる雪の量が屋根ユニットごとに異なりやすく、積もった雪の量が大きい屋根ユニットについては、積雪による荷重負担が大きくなってしまう。これに対して、本発明のように、隣り合う屋根ユニットの屋根面材同士の境界部に段差が生じていない構成によれば、雪からの荷重を各屋根ユニットに均等に分散させることができる。
【図面の簡単な説明】
【００２９】
【図１】第１の実施形態における建物の構成を示す斜視図
【図２】建物の構成を示す分解斜視図
【図３】屋根フレームの斜視図
【図４】屋根の縦断面図
【図５】第２の実施形態における建物の構成を示す分解斜視図
【図６】屋根ユニットの構成を示す図
【図７】別の建物における屋根の平面図
【発明を実施するための形態】
【００３０】
［第１の実施形態］
以下、本発明を具体化した一実施形態について図面を参照しつつ説明する。本実施形態では、本発明の屋根構造を、鉄骨軸組工法により構築された建物において具体化しており、この建物は、店舗や事務所などとして使用することが可能になっている。図１は建物１０の構成を示す斜視図、図２は建物１０の構成を示す分解斜視図、図３は屋根フレーム２２の斜視図である。
【００３１】
図１、図２に示すように、建物１０は、基礎１１の上に設けられた建物本体１２と、建物本体１２の上に設けられた屋根１３とを有している。建物本体１２は、略直方体形状とされており、その外壁１４により囲まれた屋内空間を有している。外壁１４には、窓部や出入口等の開口部が設けられており、その開口部には、ドアや窓サッシといった建具が設けられている。なお、建物１０においては、間口寸法（幅方向）が１０ｍ、奥行き寸法が９ｍ、高さ寸法が３ｍとされている。また、建物１０の外周面のうち幅方向に延びる一側面が建物正面（ファサード）とされており、その正面側には、屋根１３に正面側に向けて突出した庇部が設けられている。
【００３２】
建物本体１２は、基礎１１に立設されている複数の柱１６と、それら柱１６の上端部同士を連結している大梁１７とを有している。柱１６には、ラチス柱と間柱とが含まれており、ラチス柱は、複数の柱部とそれら柱部を連結するラチス（補強材）とを含んで構成され、間柱は、角形鋼により形成されている。柱１６は、外壁１４と一体になっている壁付き柱とされており、外壁１４に沿って並べられている。大梁１７は、Ｈ形鋼により形成されており、各柱１６の上に設置されている。また、大梁１７は、外壁１４に沿って延びている。
【００３３】
なお、外壁１４において建物正面を形成する部分には、窓ガラスが横並びに複数設けられている窓ガラス領域があり、窓ガラス領域においては窓ガラスが嵌め殺し式とされている。窓ガラス領域においては、隣り合う窓ガラスの間に間柱が配置されている。
【００３４】
屋根１３は、無落雪屋根とされており、屋根１３の上に雪が積もった場合にその雪が屋根１３の外側に落ちることを規制するようになっている。屋根１３は、陸屋根（フラットルーフ）とされており、建物１０の奥行き方向を傾斜方向とした水勾配を有している。屋根１３は、建物１０の正面側端部から奥側に向けて延びている第１屋根面１３ａと、建物１０の奥側端部から正面側に向けて延びている第２屋根面１３ｂとを有している。第１屋根面１３ａと第２屋根面１３ｂとは、建物１０の奥行き方向に沿って並べられており、これら屋根面１３ａ，１３ｂの各水勾配は、奥行き方向において屋根１３の内側に向けて下方に傾斜しており、屋根１３は、建物奥行き方向の中間部分が下方に向けて凹んだような形状になっている。
【００３５】
第１屋根面１３ａと第２屋根面１３ｂとの間には、それら屋根面１３ａ，１３ｂに沿って流れてきた水を回収する回収部としての回収溝１８が設けられている。回収溝１８は、上方に向けて開放されており、建物１０の幅方向に沿って延びている。回収溝１８には、排水管１９（図４参照）が接続されており、回収溝１８にて回収された水は排水管１９を通じて下水道等に排出される。なお、回収溝１８の底面においては、排水管１９との接続部分に向かうにつれて高さ位置が徐々に低くなっており、その接続部分が最も低い位置になっている。このため、回収溝１８内の水は、排水管１９に向けて流れ、排水管１９に流れ込むことになる。
【００３６】
第１屋根面１３ａにおいては、その正面側端部が上端とされ、奥側端部が下端とされている。第２屋根面１３ｂにおいては、その奥側端部が上端とされ、正面側端部が下端とされている。この場合、屋根面１３ａ，１３ｂは、奥行き方向において端部から中間位置に向かうにつれて徐々に高さ位置が低くなっており、回収溝１８の位置が最も低い位置になっている。このため、屋根１３の上に雪が積もった場合には、その雪が建物正面側や建物奥側に向けて屋根１３から落ちることが屋根面１３ａ，１３ｂの傾斜により規制されている。また、屋根１３の上に積もった雪は、融けて水になった状態で屋根面１３ａ，１３ｂから回収溝１８に流れ込み、排水管１９を通じて排出される。
【００３７】
第１屋根面１３ａと第２屋根面１３ｂとでは、それぞれの下端部が同じ高さ位置に配置されているとともに、それぞれの上端部が同じ高さ位置に配置されている。また、第１屋根面１３ａの建物奥行き方向の長さ寸法Ｌ１は、第２屋根面１３ｂの建物奥行き方向の長さ寸法Ｌ２よりも大きくされている。この場合、第２屋根面１３ｂの傾斜角度は第１屋根面１３ａの傾斜角度よりも大きくなっている。また、この場合、回収溝１８は、第１屋根面１３ａと第２屋根面１３ｂとの間に配置されていることで、建物１０の奥側寄りの位置に配置されていることになる。
【００３８】
建物１０の幅方向において屋根１３の端部には、その屋根１３から上方に向けて立ち上がった起立部２０が設けられている。起立部２０は、屋根面１３ａ，１３ｂ及び回収溝１８から上方に向けて延びており、屋根面１３ａ，１３ｂの上に雪が積もった場合に、その雪が建物幅方向において建物１０の外周側に落ちることを規制している。起立部２０の上端部は、第１屋根面１３ａの上端部と第２屋根面１３ｂの上端部とに掛け渡された状態になっている。
【００３９】
屋根１３は、建物本体１２の上に設置された複数の屋根ユニット２１を有している。屋根ユニット２１は、略直方体形状に形成されており、その長手方向を建物１０の奥行き方向にした向きで、建物１０の幅方向に沿って横並びに複数設けられている。屋根ユニット２１は、建物本体１２における正面側外周部１２ａと奥側外周部１２ｂとに掛け渡された状態になっており、それら正面側外周部１２ａ及び奥側外周部１２ｂの大梁１７や柱１６に屋根ユニット２１の端部が固定されている。ここで、屋根ユニット２１に対する大梁１７や柱１６の支持強度は、屋根ユニット２１を支持するための柱や耐力壁を建物奥行き方向の中間位置に設置する必要がないほど大きくされている。この場合、建物本体１２の屋内空間は、正面側外周部１２ａと奥側外周部１２ｂとの間に柱や耐力壁などが設けられていないことで、建物奥行き方向に遮られていない大空間とすることが可能になっている。
【００４０】
屋根ユニット２１は、トラス構造を有する屋根フレーム２２と、その屋根フレーム２２を上方から覆う屋根面材２３，２４とを有している。屋根面材２３，２４は、金属材料により形成された折板材とされている。ここで、屋根１３は、折板屋根とされており、屋根面材２３，２４は、折板材の折り目が水勾配に沿って延びる向きで設置されている。屋根面材２３，２４のうち、第１屋根面材２３は、その上面が第１屋根面１３ａを形成するものであり、建物正面側の端部が上端となるように傾斜した状態で設置されている。第２屋根面材２４は、その上面が第２屋根面１３ｂを形成するものであり、建物奥側の端部が上端となるように傾斜した状態で設置されている。
【００４１】
屋根１３においては、複数の屋根ユニット２１の各第１屋根面材２３により第１屋根面１３ａが形成されており、各第２屋根面材２４により第２屋根面１３ｂが形成されている。この場合、隣り合う屋根ユニット２１の境界部においては、第１屋根面材２３同士が連続しており、それら第１屋根面材２３の間に段差が生じないようになっている。同様に、隣り合う屋根ユニット２１の境界部においては、第２屋根面材２４同士が連続しており、それら第２屋根面材２４の間に段差が生じないようになっている。
【００４２】
また、第１屋根面材２３と第２屋根面材２４との並び方向（建物奥行き方向）について、屋根フレーム２２において第１屋根面材２３により覆われている部分の長さ寸法が、第１屋根面１３ａの建物奥行き方向の長さ寸法Ｌ１になっており、第２屋根面材２４により覆われている部分の長さ寸法が、第２屋根面１３ｂの建物奥行き方向の長さ寸法Ｌ２になっている。
【００４３】
図３に示すように、屋根フレーム２２は、長尺状の鋼材が複数組み合わされることで形成された立体トラスであり、建物奥行き方向を長手方向とした略直方体形状になっている。屋根フレーム２２は、その屋根フレーム２２の長手方向に沿って延びている長手トラス２５と、短手方向に沿って延びている短手トラス２６とを有している。長手トラス２５及び短手トラス２６は、互いに直交する平面トラスであり、これら長手トラス２５及び短手トラス２６を組み合わせることで屋根フレーム２２が立体トラスになっている。
【００４４】
屋根フレーム２２において、長手トラス２５は屋根フレーム２２の短手方向に沿って一対並べて設けられている。短手トラス２６は、屋根フレーム２２の長手方向に沿って複数並べて設けられており、各短手トラス２６は、一対の長手トラス２５を連結している。短手トラス２６は、一対の長手トラス２５の間に設けられており、それら長手トラス２５に掛け渡された状態になっている。
【００４５】
長手トラス２５及び短手トラス２６は、上下に対向配置された上弦材３１及び下弦材３２と、これら上弦材３１と下弦材３２とを連結する斜材３３とをそれぞれ有している。長手トラス２５及び短手トラス２６は、いずれも平行トラスとされている。長手トラス２５及び短手トラス２６のそれぞれにおいて、斜材３３は弦材３１，３２の延びている方向に沿って複数並べられており、各斜材３３は弦材３１，３２の間に設けられている。各斜材３３は、鉛直方向に対してそれら斜材３３が並ぶ方向に傾斜している。
【００４６】
なお、上弦材３１、下弦材３２及び斜材３３は、それぞれ鋼材としての溝形鋼により形成されており、それぞれの溝部の開放側を水平方向に向けて配置されている。長手トラス２５においては、上弦材３１、下弦材３２及び斜材３３の各溝部が屋根フレーム２２の短手方向を向いており、短手トラス２６においては、各溝部が屋根フレーム２２の長手方向を向いている。
【００４７】
長手トラス２５においては、下弦材３２が水平方向に延びている一方で、上弦材３１は第１屋根面材２３に沿って傾斜している。上弦材３１の傾斜角度は、第１屋根面材２３の傾斜角度（第１屋根面１３ａの水勾配）と同じ大きさになっている。長手トラス２５の上弦材３１においては、建物正面側の端部が上端になり、建物奥側の端部が下端になっている。この場合、屋根フレーム２２においては、その長手方向が上弦材３１の傾斜している傾斜方向になり、長手トラス２５が傾斜トラスに相当する。
【００４８】
これに対して、短手トラス２６においては、上弦材３１及び下弦材３２がいずれも水平方向に延びている。短手トラス２６の上弦材３１は、一対の長手トラス２５の上弦材３１の間に設けられており、その端面が長手トラス２５の上弦材３１の側面に溶接等により固定されている。同様に、短手トラス２６の下弦材３２は、一対の長手トラス２５の下弦材３２の間に設けられており、その端面が長手トラス２５の下弦材３２の側面に溶接等により固定されている。なお、短手トラス２６は、長手トラス２５に直交する直交トラスに相当する。
【００４９】
長手トラス２５は、鉛直方向に延びている束材３４を有している。束材３４は、斜材３３と同様に、上弦材３１と下弦材３２とを連結するものであり、それら弦材３１，３２に沿って斜材３３と横並びに複数設けられている。また、束材３４は、屋根フレーム２２の短手方向において短手トラス２６に横並びに配置されている。長手トラス２５において、束材３４は屋根フレーム２２の長手方向の端部及び中間位置の両方に配置されている。屋根フレーム２２においては、一対の長手トラス２５の各束材３４の間に短手トラス２６が配置されており、短手トラス２６が長手トラス２５の束材３４により補強されている。なお、束材３４は、角形鋼により形成されている。
【００５０】
屋根フレーム２２は、長手トラス２５の上弦材３１から屋根フレーム２２の長手方向に沿って斜め上方に向けて延びている傾斜部材４１を有している。傾斜部材４１は、第２屋根面材２４の下方に設けられており、その第２屋根面材２４に沿って傾斜している。傾斜部材４１の傾斜角度は、第２屋根面材２４の傾斜角度（第２屋根面１３ｂの水勾配）と同じ大きさになっている。傾斜部材４１は、建物奥行き方向において上弦材３１の中央よりも建物奥側（図３の右側）に配置されており、その上端部は上弦材３１の上端部よりも高い位置に配置されている。
【００５１】
傾斜部材４１の下端部は、複数の短手トラス２６のうち短手トラス２６ａに固定されている。短手トラス２６ａは、建物奥行き方向において長手トラス２５の中央よりも建物奥側に配置されており、複数の短手トラス２６のうち最も建物奥側に配置された短手トラス２６ｂに隣り合っている。複数の短手トラス２６のうち最も建物正面側に配置された短手トラス２６ｃと短手トラス２６ａとの設置間隔Ｌ３は、短手トラス２６ａ，２６ｂの設置間隔Ｌ４よりも大きくなっている。
【００５２】
傾斜部材４１は、屋根フレーム２２の短手方向に沿って一対並べて設けられている。一対の傾斜部材４１は、いずれも一対の長手トラス２５の間から斜め上方に向けて延びている。傾斜部材４１においては、その下端部の端面が短手トラス２６ａの側面（建物奥側を向いている面）に当接しており、その当接部分が溶接等により固定されている。また、傾斜部材４１の下端部は、屋根フレーム２２の短手方向において長手トラス２５の上弦材３１に横並びに配置されており、その上弦材３１の側面に傾斜部材４１の側面が溶接等により固定されている。
【００５３】
長手トラス２５の上には、傾斜部材４１の上端部を支持する柱部材４２が設けられている。柱部材４２は、角形鋼により形成されており、束材３４の上方に配置されている。この場合、柱部材４２は、長手トラス２５の建物奥側端部において束材３４と上下に重ねられており、上弦材３１の上面に溶接等により固定されている。柱部材４２は、一対の長手トラス２５のそれぞれの上に設置されており、それら一対の柱部材４２の上端部同士が連結部材４３により連結されている。連結部材４３は、溝形鋼により形成されており、溝部を建物奥側に向けて配置されている。連結部材４３は、一対の柱部材４２の間に設けられており、それら柱部材４２に掛け渡された状態になっている。
【００５４】
傾斜部材４１の上端部は連結部材４３に固定されている。傾斜部材４１の上端部の端面が連結部材４３の側面に当接しており、その当接部分が溶接等により固定されている。この場合、傾斜部材４１は、短手トラス２６ａの上弦材３１と連結部材４３との間に設けられており、これら上弦材３１と連結部材４３とに掛け渡された状態になっている。
【００５５】
屋根フレーム２２においては、その建物正面側の端部の高さ寸法Ｈ１と、その建物奥側の端部の高さ寸法Ｈ２とが同じになっている（Ｈ１＝Ｈ２）。この場合、下弦材３２と傾斜部材４１の上端との離間距離が、下弦材３２と上弦材３１の上端との離間距離と同じになっていることになる。また、この場合、連結部材４３の高さ位置が、最も建物正面側に配置された短手トラス２６ｃの上弦材３１の高さ位置と同じになっている。
【００５６】
次に、屋根１３の無落雪構造について図２、図４を参照しつつ説明する。図４は屋根１３の縦断面図であり、建物奥行き方向に延びる縦断面を示している。また、図３と図４とでは、隣り合う束材３４の間に配置された斜材３３の数が異なっているが、この数は適宜設定されればよく、図３、図４のいずれかに図示した数に特定されるものではない。
【００５７】
図２、図４に示すように、屋根ユニット２１は、その短手方向に沿って延びている溝部材４５を有しており、各屋根ユニット２１の溝部材４５が互いに連結されることで回収溝１８が形成されている。なお、複数の溝部材４５が連結されることで、第１屋根面材２３と第２屋根面材２４との境界部に沿って延びるスノーダクトが形成され、そのスノーダクトの開放部分により回収溝１８が形成されている。
【００５８】
溝部材４５は、屋根ユニット２１において第１屋根面材２３と第２屋根面材２４との間に設けられており、複数の屋根ユニット２１の各溝部材４５のうちいずれかに排水管１９が接続されている。溝部材４５においては、排水管１９の接続部分に排水口が形成されており、この溝部材４５には、排水口を上方から覆う排水カバー４６が取り付けられている。排水カバー４６は、ゴミや小動物が排水管１９の内部に入り込むことを規制するものである。
【００５９】
溝部材４５は、建物奥行き方向において、傾斜部材４１よりも建物正面側に設けられている。傾斜部材４１が固定された短手トラス２６ａの上方には、第２屋根面材２４の建物正面側の端部が配置されており、その端部よりも第１屋根面材２３側に溝部材４５が配置されている。この場合、溝部材４５は、短手トラス２６ａよりも建物奥側であって、その短手トラス２６ａに極力近い位置に配置されている。また、短手トラス２６ａに隣り合い且つその短手トラス２６ａの建物正面側に配置された短手トラス２６を短手トラス２６ｄと称すれば、溝部材４５は、屋根ユニット２１の長手方向においてそれら短手トラス２６ａ，２６ｄの間に配置されている。さらに、溝部材４５の真下には短手トラス２６ａが存在しないため、溝部材４５に排水管１９を接続する上で短手トラス２６ａが支障になりにくくなっている。
【００６０】
ちなみに、短手トラス２６ａの上方に第２屋根面材２４の端部が設置されていることなどに起因して、第２屋根面１３ｂの長さ寸法Ｌ２は、短手トラス２６ａ，２６ｂの設置間隔Ｌ４よりも若干大きくなっている。また、第１屋根面材２３が溝部材４５を挟んで第２屋根面材２４とは反対側に配置されていることなどに起因して、第１屋根面１３ａの長さ寸法Ｌ１は、短手トラス２６ａ，２６ｃの設置間隔Ｌ３と同じ又はそれよりも若干小さくなっている。
【００６１】
屋根ユニット２１においては、第１屋根面材２３及び第２屋根面材２４が屋根断熱材５１を介して屋根フレーム２２の上に設置されている。屋根断熱材５１は、ウレタンフォーム等の発泡系断熱材により板状に形成されており、屋根面材２３，２４に沿って延びた状態で上弦材３１又は傾斜部材４１の上に設置されている。屋根ユニット２１の長手方向において傾斜部材４１が設置されていない領域では、屋根断熱材５１が屋根フレーム２２の短手方向において一対の長手トラス２５の各上弦材３１に掛け渡された状態になっており、傾斜部材４１が設置されている領域では、屋根断熱材５１が一対の傾斜部材４１に掛け渡された状態になっている。
【００６２】
溝部材４５の設置部分においては、屋根断熱材５１に上方に向けて開放された凹部が形成されており、その凹部に埋め込まれた状態で溝部材４５が設置されている。ここで、屋根断熱材５１に対する溝部材４５の埋め込み寸法は屋根断熱材５１の厚み寸法よりも小さくされている。このため、溝部材４５と長手トラス２５の上弦材３１とが交差する部分であっても、その上弦材３１が溝部材４５の設置に支障になることが回避されている。
【００６３】
なお、屋根面材２３，２４と屋根断熱材５１との間には、屋根面材２３，２４の下面に沿って延びる防水シートや防水板等の防水部材が設けられている。ここで、屋根面材２３，２４は、溝部材４５に沿って延びている端面２３ａ，２４ａを有しており、それら端面２３ａ，２４ａは建物幅方向に並ぶ複数の折り目により形成されている。この場合、屋根面材２３，２４の折り目の山部分の下側空間が防水部材により溝部材４５側から覆われており、それによって、屋根面材２３，２４の山部分の下側空間に雪等が進入しないようになっている。
【００６４】
排水管１９は、溝部材４５から下方に向けて屋根ユニット２１内に引き出されている屋根側引き出し部分１９ａと、その屋根側引き出し部分１９ａの下端から建物奥側に向けて迂回している迂回部１９ｂと、迂回部１９ｂの端部から下方に向けて建物本体１２の屋内空間に引き出されている建物側引き出し部分１９ｃとを有している。排水管１９が迂回部１９ｂを有していない構成では、建物奥行き方向において排水管１９が建物本体１２の中央寄りの位置に引き出されてしまうが、排水管１９が迂回部１９ｂを有しているため、排水管１９を外壁１４における建物奥側の部分に近い位置にて建物本体１２に引き出すことができる。また、迂回部１９ｂは第２屋根面材２４の下方に配置されている。この場合、排水管１９が第１屋根面材２３側に迂回された構成に比べて、迂回部１９ｂ（排水管１９）の長さ寸法を小さくなっている。
【００６５】
以上詳述した本実施形態によれば、以下の優れた効果が得られる。
【００６６】
屋根１３において、第１屋根面材２３が第２屋根面材２４に向けて下方に傾斜しているため、第１屋根面材２３の上に雪が積もった場合に、その雪が第１屋根面材２３の上端側からは建物１０の正面側に落ちにくくなっている。また、その雪が第１屋根面材２３の水勾配に沿って移動したとしても、その雪が建物１０の奥側に落ちることを第２屋根面材２４により規制できる。
【００６７】
しかも、屋根ユニット２１の長手方向において、第１屋根面材２３の下端が屋根フレーム２２の中央部分よりも第２屋根面材２４側にずれているため、その中央部分の構造強度が高くなるようなトラス構造を構築しやすくなる。したがって、建物奥行き方向において屋根フレーム２２の中央部分が建物本体１２による支持点から遠い位置になっていても、屋根１３の上に積もった雪の荷重により屋根フレーム２２の中央部分が下方に撓むということを抑制できる。
【００６８】
以上により、トラス構造を有する屋根１３において、その屋根１３の上に積もった雪からの荷重に好適に耐えることができる。
【００６９】
第１屋根面材２３と第２屋根面材２４との間に回収溝１８が設けられているため、屋根１３の上に雪が積もっている場合に、その雪や融けた水を回収溝１８により回収できる。これにより、第１屋根面材２３や第２屋根面材２４の各上端を越えて建物１０の正面側や奥側に雪が落ちるということを抑制できる。しかも、屋根面材２３，２４の傾斜下部という雪が集まりやすい場所が、屋根フレーム２２の中央部分から第２屋根面材２４側にずれた位置に設定されているため、屋根１３において建物本体１２による支持点から最も遠い位置に最も雪が集まってしまうということを抑制できる。
【００７０】
第１屋根面材２３の上端と第２屋根面材２４の上端とが同じ高さ位置に配置されているため、例えばこれら上端の高さ位置が異なる構成に比べて、屋根１３の上に積もった雪がいずれか一方の上端を越えて建物１０の外周側に溢れにくい。また、この場合、第２屋根面材２４の傾斜角度が第１屋根面材２３の傾斜角度よりも大きいため、建物奥行き方向において第２屋根面材２４の長さ寸法Ｌ２が第１屋根面材２３の長さ寸法Ｌ１より小さくても、屋根１３の上に積もった雪が第２屋根面材２４の上端を越えて建物奥側に溢れにくい構成を実現できる。
【００７１】
屋根フレーム２２において、長手トラス２５に単に傾斜部材４１を取り付けることで、第２屋根面材２４を下方から支持する構成を実現できる。このため、例えば、第１屋根面材２３及び第２屋根面材２４のそれぞれの傾斜に合わせて上弦材３１を設計する必要がない。つまり、専用の長手トラス２５を製造する必要がない。しかも、長手トラス２５の構造や予想積雪量などに応じて、傾斜部材４１の設置位置や傾斜角度を設定することで、第１屋根面材２３の下端を適正な位置に配置することや第１屋根面材２３の傾斜角度を適正に設定することが可能となる。
【００７２】
屋根フレーム２２は、長手トラス２５及び短手トラス２６を組み合わせて構成された立体トラスであるため、積雪による荷重に耐え得る構造強度を確保することができる。しかも、傾斜部材４１が短手トラス２６に固定されているため、立体トラスが有する構造強度を傾斜部材に付与することができる。したがって、屋根１３の上に積もった雪からの荷重が傾斜部材４１に加えられやすい構成において、傾斜部材４１が雪からの荷重に好適に耐えることができる。
【００７３】
傾斜部材４１が固定された柱部材４２が束材３４の上に立設されているため、傾斜部材４１の上端を束材３４により好適に支持できる。また、この場合、傾斜部材４１に合わせて束材３４の長さ寸法を変更する必要がない。つまり、専用の長手トラス２５を製造する必要がない。しかも、傾斜部材４１の傾斜角度に合わせて柱部材４２の長さ寸法を設定することで、第１屋根面材２３の勾配を適正に設定することができる。
【００７４】
屋根１３においては、第１屋根面１３ａ及び第２屋根面１３ｂにおいて、隣り合う屋根ユニット２１の境界部に段差が形成されていないため、全ての屋根ユニット２１の上に積もる雪の量を均一化できる。これにより、屋根１３の上に積もった雪からの荷重を各屋根ユニット２１に均等に分散させることができる。
【００７５】
［第２の実施形態］
第２の実施形態について、上記第１の実施形態との相違点を中心に説明する。第１の実施形態では、屋根ユニット２１において、第２屋根面材２４の上端及び下端が第１屋根面材２３の上端及び下端と同じ高さ位置に配置されていたが、第２の実施形態では、第２屋根面材２４が第１屋根面材２３の下端よりも低い位置に配置されている。図５は建物１０の構成を示す分解斜視図、図６は屋根ユニット２１の構成を示す図である。なお、図６においては、（ａ）に屋根フレーム２２の側面図を示し、（ｂ）に屋根１３の建物奥行き方向における縦断面図を示している。
【００７６】
図５に示すように、第１屋根面１３ａが建物奥行き方向を傾斜方向とした水勾配を有している一方で、第２屋根面１３ｂは、建物奥行き方向において水平方向に延びている。また、第２屋根面１３ｂは、第１屋根面１３ａの下端よりも低い位置に配置されている。第２屋根面材２４においては、第１屋根面材２３側の端部がその第１屋根面材２３の下端よりも低い位置に配置され、第１屋根面材２３から遠ざかる方向（建物奥側）に向けて水平方向に延びている。
【００７７】
第２屋根面材２４を挟んで第１屋根面材２３の反対側には、屋根１３の上に雪が積もっている場合にその雪が第２屋根面１３ｂから建物奥側に向けて落ちることを規制する雪止め部６１が設けられている。雪止め部６１は、第２屋根面１３ｂよりも上方に向けて延びており、屋根１３の奥側端部に沿って延びている。雪止め部６１の上端部は、第１屋根面材２３の上端部と同じ高さ位置に配置されており、起立部２０は、第１屋根面材２３と雪止め部６１とに掛け渡された状態になっている。この場合、第１屋根面材２３、第２屋根面材２４及び雪止め部６１により形成された凹部により、上方に向けて開放されたスノーダクトが形成されている。
【００７８】
図６（ａ）に示すように、屋根フレーム２２の長手トラス２５において、複数の束材３４には、最も建物正面側（図の左側）に配置された正面側束材３４ａと、最も建物奥側（図の右側）に配置された奥側束材３４ｂとが含まれており、下弦材３２は、それら正面側束材３４ａと奥側束材３４ｂとに掛け渡された状態で設けられている。また、本実施形態では、上弦材として、正面側束材３４ａに連結された第１上弦材３１ａと、奥側束材３４ｂに連結された第２上弦材３１ｂとが設けられており、複数の束材３４には、第１上弦材３１ａ及び第２上弦材３１ｂの両方が連結された中間束材３４ｃが含まれている。中間束材３４ｃは、正面側束材３４ａと奥側束材３４ｂとの中間位置に配置されており、複数の斜材３３を挟んで奥側束材３４ｂに隣り合っている。
【００７９】
図６（ａ），（ｂ）に示すように、中間束材３４ｃは、下弦材３２から上方に向けて延びており、第１上弦材３１ａは中間束材３４ｃの上端部に接続され、第２上弦材３１ｂは、第１上弦材３１ａよりも低い位置にて中間束材３４ｃに接続されている。この場合、中間束材３４ｃに対する第２上弦材３１ｂの接続部分は、第１上弦材３１ａの接続部分の下方に配置されている。
【００８０】
屋根ユニット２１においては、第１屋根面材２３が屋根断熱材５１を介して第１上弦材３１ａに取り付けられており、第２屋根面材２４が屋根断熱材５１を介して第２上弦材３１ｂに取り付けられている。この場合、第１屋根面材２３は第１上弦材３１ａの上方に配置され、第２屋根面材２４は第２上弦材３１ｂの上方に配置されている。
【００８１】
雪止め部６１は、屋根断熱材５１を介して第２上弦材３１ｂの上に設置されている。ここで、第２上弦材３１ｂは、奥側束材３４ｂよりも建物奥側に突出しており、その突出部分の上に雪止め部６１が設置されている。また、下弦材３２も、奥側束材３４ｂよりも建物奥側に突出しており、奥側束材３４ｂよりも建物奥側には、第２上弦材３１ｂと下弦材３２とをそれぞれの突出部分同士で連結している連結柱６２が設けられている。連結柱６２は、雪止め部６１の下方に配置されており、屋根フレーム２２においては、雪止め部６１からの荷重が第２上弦材３１ｂだけでなく、連結柱６２を介して下弦材３２にも加えられるようになっている。
【００８２】
第２屋根面材２４の上には、防水パン６４が設置されている。防水パン６４は、雪止め部６１と中間束材３４ｃとの間に設けられており、建物幅方向に沿って延びている。ここで、第１屋根面材２３は、中間束材３４ｃよりも建物奥側に向けて突出しており、防水パン６４は、第１屋根面材２３と第２屋根面材２４との間に入り込んだ状態で設置されている。この場合、第１屋根面材２３に沿って流れ落ちてきた水や雪が防水パン６４に回収されることになる。なお、防水パン６４には、図示しない排水管が接続されており、防水パン６４に回収された水等は排水管を通じて建物外に排出される。
【００８３】
以上詳述した本実施形態によれば、以下の優れた効果が得られる。
【００８４】
第１屋根面材２３と雪止め部６１との間において第２屋根面材２４の上方部分がスノーダクトとしての役割を果たすため、屋根１３の上に積もった雪が第２屋根面材２４を越えて建物奥側に溢れるということを抑制できる。しかも、第１屋根面材２３と雪止め部６１との間という雪が集まりやすい場所が、屋根フレーム２２の中央部分から建物奥側にずれた位置に設定されているため、屋根１３において建物本体１２による支持点から遠い位置に最も雪が集まってしまうということを抑制できる。
【００８５】
屋根フレーム２２において、第２上弦材３１ｂが第１上弦材３１ａの下端部よりも低い位置に配置されているため、第２屋根面材２４を第１屋根面材２３の下端部よりも低い位置に容易に設置できる。しかも、第１上弦材３１ａの下端部を支える中間束材３４ｃに第２上弦材３１ｂが連結されているため、スノーダクトの底部としての役割を果たす第２屋根面材２４の上に雪が集まりやすい構成であっても、その第２屋根面材２４を第２上弦材３１ｂにより好適に支持することができる。
【００８６】
［他の実施形態］
本発明は上記各実施形態の記載内容に限定されず、例えば次のように実施されてもよい。
【００８７】
（１）上記第１の実施形態では、第１屋根面材２３の上端と第２屋根面材２４の上端とが同じ高さ位置に配置されていたが、これら上端の高さ位置は異なっていてもよい。例えば、屋根フレーム２２において、建物正面側の端部の高さ寸法Ｈ１と建物奥側の端部の高さ寸法Ｈ２とが異なっている構成とする。この構成では、傾斜部材４１の傾斜角度を変更することにより、高さ寸法Ｈ１，Ｈ２を変更することが可能となる。
【００８８】
（２）上記第１の実施形態では、屋根フレーム２２の傾斜部材４１が第２屋根面材２４に沿って延びていたが、傾斜部材４１が第１屋根面材２３に沿って延びていてもよい。例えば、長手トラス２５において、上弦材３１が建物奥側（第２屋根面材２４側）から建物正面側（第１屋根面材２３側）に向けて下方に傾斜しており、傾斜部材４１が上弦材３１から建物正面側に向けて上方に延びている構成とする。この構成では、傾斜部材４１が、建物奥行き方向において上弦材３１の中央部分よりも建物奥側の部分に対して固定されており、第１屋根面材２３の下方に配置されることになる。
【００８９】
（３）上記第１の実施形態では、屋根ユニット２１において、第１屋根面材２３が上弦材３１に取り付けられている一方で、第２屋根面材２４が傾斜部材４１に取り付けられているが、第１屋根面材２３及び第２屋根面材２４の両方が上弦材３１に取り付けられていてもよい。例えば、上弦材３１が直線状ではなく、中間部分が下方に向けて折れ曲がり、その折れ曲がり部分から両端のそれぞれに向けて斜め上方に延びている構成とする。この構成では、上弦材３１が２つの傾斜部分を有しており、それら傾斜部分のうち一方が第１屋根面材２３に沿って延び、他方が第２屋根面材２４に沿って延びている。これにより、傾斜部材４１を使用しなくても、第１屋根面材２３及び第２屋根面材２４の両方を上弦材３１に取り付けることが可能となる。
【００９０】
（４）上記第１の実施形態において、複数の屋根ユニット２１には、建物奥行き方向の長さ寸法が異なる屋根ユニット２１が含まれていてもよい。例えば、図７に示すように、屋根１３が、第１屋根ユニット２１ａと、その第１屋根ユニット２１ａよりも建物奥行き方向の長さ寸法が大きい第２屋根ユニット２１ｂとを備えた構成とする。この構成では、複数の第１屋根ユニット２１ａに対して複数の第２屋根ユニット２１ｂが雁行配置されており、建物正面側において、第１屋根ユニット２１ａと第２屋根ユニット２１ｂとの境界部に段差が形成されている。
【００９１】
この屋根１３においても、回収溝１８が建物幅方向に沿って直線状に延びている。この場合、屋根面材２３，２４の建物奥行き方向の長さ寸法について、第１屋根ユニット２１ａの第１屋根面材２３の長さ寸法Ｌ１ａは、第２屋根ユニット２１ｂの第１屋根面材２３の長さ寸法Ｌ１ｂよりも大きくなっている。その一方で、第１屋根ユニット２１ａの第２屋根面材２４の長さ寸法Ｌ２ａは、第２屋根ユニット２１ｂの第２屋根面材２４の長さ寸法Ｌ２ｂと同じ大きさになっている。この場合でも、第２屋根ユニット２１ｂにおいて、第１屋根面材２３の長さ寸法Ｌ１ｂは、第２屋根面材２４の長さ寸法Ｌ２ｂよりも大きくなっている。以上のように、屋根ユニット２１ａ、２１ｂのいずれにおいても、第１屋根面材２３の下端が屋根ユニット２１の中央部分よりも第２屋根面材２４側にずれている。
【００９２】
（５）上記第１の実施形態では、回収部として長尺状の回収溝１８が設けられていたが、短尺状の回収部が建物幅方向に沿って複数設けられていてもよい。また、第１の実施形態においても、第２実施形態の雪止め部６１が、第１屋根面材２３の建物正面側や第２屋根面材２４の建物奥側に設けられていてもよい。
【００９３】
（６）上記第２の実施形態では、屋根フレーム２２において１つの下弦材３２が正面側束材３４ａと奥側束材３４ｂとに掛け渡されていたが、屋根フレーム２２の長手トラス２５が、正面側束材３４ａに連結された第１下弦材と、奥側束材３４ｂに連結された第２下弦材とを有していてもよい。例えば、第１下弦材及び第２下弦材が、第１上弦材３１ａ及び第２上弦材３１ｂと同様に、中間束材３４ｃにそれぞれ連結された構成とする。この構成では、第１上弦材３１ａ及び第１下弦材を含んで第１フレーム部が形成され、第２上弦材３１ｂ及び第２下弦材を含んで第２フレーム部が形成されており、それら第１フレーム部と第２フレーム部とが連結されることで屋根フレーム２２が構成される。この場合、第２フレーム部の存在によってスノーダクトが形成されていることになる。
【００９４】
（７）上記各実施形態では、屋根１３が陸屋根とされていたが、屋根１３は寄棟や切妻といった傾斜屋根とされていてもよい。この場合、第１屋根面１３ａ及び第２屋根面１３ｂのうち少なくとも第１屋根面１３ａが傾斜していればよく、傾斜している屋根面については水勾配よりも傾斜角度の大きい勾配を有していることになる。
【００９５】
（８）上記各実施形態では、屋根フレーム２２が一対の長手トラス２５を有していたが、屋根フレーム２２は、３つ以上の長手トラス２５を有していてもよい。
【符号の説明】
【００９６】
１０…建物、１２…建物本体、１３…屋根、１３ａ…第１屋根面、１３ｂ…第２屋根面、１８…回収部としての回収溝、２１…屋根ユニット、２２…屋根フレーム、２３…屋根面材としての第１屋根面材、２４…屋根面材としての第２屋根面材、２５…傾斜トラスとしての長手トラス、２６…直交トラスとしての短手トラス、３１…上弦材、３４…束材、３４ｃ…中間束材、４１…傾斜部材、４２…柱部材、６１…雪止め部。
【図１】
2015010446.tif 000003
【図２】
2015010446.tif 000004
【図３】
2015010446.tif 000005
【図４】
2015010446.tif 000006
【図５】
2015010446.tif 000007
【図６】
2015010446.tif 000008
【図７】
2015010446.tif 000009